(57)【要約】【課題】本発明は、所定個所が折曲げられて仕切体となる段ボールシートであって、効率のよい収納ができる段ボールシートを提供することを課題とする。【解決手段】本発明にかかる段ボールシート１は、隣り合う該挿入部５の境界部分から突出する第１突出片６及び第２突出片７を備えている。第１突出片６からは２つの第１切込線８が伸延し、第２突出片７から２つの第２切込線９が伸延している。そして、第１突出片６を垂直方向に押し込むことにより、第１突出片６と第２突出片７とは、境界部分付近を軸として一体となって回転して仕切板になる。【選択図】図１
2008189335.tif 000002
【特許請求の範囲】
【請求項１】
所定個所が折曲げられて仕切体となる段ボールシートであって、
被仕切体が挿入される複数の挿入部と、
隣り合う該挿入部の境界部分の近傍を基端として一方の挿入部の中心方向に突出する第１突出片と、
前記境界部分の近傍を基端として他方の挿入部の中心方向に突出する第２突出片と、
前記第１突出片の外縁と前記一方の挿入部の外縁とが交わる二の個所をそれぞれ基端として前記他方の挿入部側に伸延する二の第１切込線と、
前記第２突出片の外縁と前記他方の挿入部の外縁とが交わる二の個所をそれぞれ基端として前記一方の挿入部側に伸延する二の第２切込線と、を備え、
前記第１突出片又は前記第２突出片を垂直方向に押し込むことにより、前記第１突出片と前記第２突出片とは、前記境界部分付近を軸として一体となって回転し、前記一方の挿入部に挿入される被仕切体と前記他方の挿入部に挿入される被仕切体とを仕切る仕切板になることを特徴とする段ボールシート。
【請求項２】
前記第１突出片と前記第２突出片とは、基端付近の幅が略等しく、
前記二の第１切込線は互いに離れる方向に傾斜して伸延し、
前記二の第２切込線は互いに近づく方向に傾斜して伸延する、
請求項１に記載の段ボールシート。
【請求項３】
前記二の第１切込線の両先端と前記二の第２切込線の両先端とが略一直線上に並んでいる、請求項１又は２に記載の段ボールシート。
【請求項４】
前記第１突出片の基端から先端までの長さが、前記第２突出片の基端から先端までの長さよりも長い、請求項１乃至３のうちいずれか一の項に記載の段ボールシート。
【発明の詳細な説明】
【技術分野】
【０００１】
本発明は、所定個所が折曲げられて仕切体となる段ボールシートに関し、特に被仕切体が挿入される複数の挿入部を備えた段ボールシートに関する。
【背景技術】
【０００２】
段ボールシートを利用した仕切体として、段ボールシートを井形状等に組み立てるものと、段ボールシート自体が挿入部を備えるものが知られている。このうち、段ボールシートを組み立てるものは、組立作業が必要であるため、仕切体を要する梱包作業は効率的に行うことができなかった。一方、段ボールシート自体に挿入部をそなえるものは、組立作業よりも単純な折曲作業で仕切り体とすることができる場合が多い。引用文献１には、仕切格子枠を挟んで複数の容器収納孔（挿入部）が縦横方向に並んだ段ボール製の仕切り枠材（段ボールシート）が提案されている。この仕切り枠材によれば、単純な折り曲げ作業で、仕切格子枠に挿入された容器同士が接触するのを防止することができる。
【特許文献１】実開平６―４９３１８号公報
【発明の開示】
【発明が解決しようとする課題】
【０００３】
ここで、特許文献１に記載の仕切り枠材は、容器収納孔の間に仕切格子枠が形成されているため、仕切格子枠の幅が大きくなるとそれだけ容器収納枠の領域が制限され、挿入できる容器の数が減ってしまうことになる。そのため、効率のよい（より多くの）収納を行うためには、仕切格子枠の幅を極力狭くする必要がある。ところが、仕切格子枠の幅を狭くすると仕切格子枠が切れやすくなってしまい、また、仕切り枠材全体の剛性が弱くなることで取り扱いにくくなってしまう。さらにこれとは別に、特許文献１に記載の仕切り枠材は、仕切格子枠よりも上方には仕切体となるようなものはないため、仕切格子枠の幅が狭くなると、仕切格子枠よりも上方で容器が接触しやすくなる。このように、特許文献１に記載の仕切り枠材では、格子枠の幅を十分に狭くすることができず、結果として効率のよい収納ができないという問題があった。
【０００４】
そこで本発明は、所定個所が折曲げられて仕切体となる段ボールシートであって、効率のよい収納ができる段ボールシートを提供することを目的としている。
【課題を解決するための手段】
【０００５】
本発明は上述のような事情に鑑みてなされたものであり、本発明にかかる段ボールシートは、所定個所が折曲げられて仕切体となる段ボールシートであって、被仕切体が挿入される複数の挿入部と、隣り合う該挿入部の境界部分の近傍を基端として一方の挿入部の中心方向に突出する第１突出片と、前記境界部分の近傍を基端として他方の挿入部の中心方向に突出する第２突出片と、前記第１突出片の外縁と前記一方の挿入部の外縁とが交わる二の個所をそれぞれ基端として前記他方の挿入部側に伸延する二の第１切込線と、前記第２突出片の外縁と前記他方の挿入部の外縁とが交わる二の個所をそれぞれ基端として前記一方の挿入部側に伸延する二の第２切込線と、を備え、前記第１突出片又は前記第２突出片を垂直方向に押し込むことにより、前記第１突出片と前記第２突出片とは、前記境界部分付近を軸として一体となって回転し、前記一方の挿入部に挿入される被仕切体と前記他方の挿入部に挿入される被仕切体とを仕切る仕切板になることを特徴とする（請求項１）。かかる構成によれば、隣接する被仕切体同士の距離を段ボールシート一枚分の厚さ程度にすることができる。さらに、第２突出片が仕切板として段ボールシートの面よりも上方に位置することになるため、隣接する被仕切体が接触するのを防止することができる。
【０００６】
また、上記段ボールシートにおいて、前記第１突出片と前記第２突出片とは、基端付近の幅が略等しく、前記二の第１切込線は互いに離れる方向に傾斜して伸延し、前記二の第２切込線は互いに近づく方向に傾斜して伸延するようにしてもよい（請求項２）。かかる構成によれば、第１切込線と第２切込線とが交差することなく、互いの先端の距離を大きくすることができる。そのため、第１切込線と第２切込線との間が裂けにくくなり、段ボールシート全体の強度を向上させることができる。
【０００７】
また、上記段ボールシートにおいて、前記二の第１切込線の両先端と前記二の第２切込線の両先端とが略一直線上に並ぶようにしてもよい（請求項３）。かかる構成によれば、二の第１切込線の両先端と二の第２切込線の両先端を通る部分が、第１突出片と第２突出片とが一体となって回転する回転軸としての役割を果たすこととなるため、回転軸を容易に形成することができる。
【０００８】
また、上記段ボールシートにおいて、前記第１突出片の基端から先端までの長さが、前記第２突出片の基端から先端までの長さよりも長くしてもよい（請求項４）。被仕切体が一方の挿入部に挿入されると、第２突出片によって段ボールシートの上方に仕切板が形成されることになる。そこで、上記構成によれば、第２突出片の突出量が少ないため、他方の挿入部に被仕切体を挿入する際に、被仕切体が第２突出片に引っ掛かりにくくすることができる。
【発明の効果】
【０００９】
以上の説明から明らかなように、本発明によれば、隣接する被仕切体の距離を段ボールシート一枚分の厚さ程度にすることができる。よって、本発明によれば、所定個所が折曲げられて仕切体となる段ボールシートであって、効率のよい収納ができる段ボールシートを提供することができる。
【発明を実施するための最良の形態】
【００１０】
以下、本発明に係る実施形態について図を参照して説明する。
【００１１】
まず、本発明の実施形態に係る段ボールシート１の構成について説明する。図１は、本実施形態に係る段ボールシート１の平面図である。図１に示すように、段ボールシート１は、平板状の一枚のシートであって、略四角形の挿入面２と、この挿入面２の四方において挿入面２と連結する４つの立脚面３とから構成されている。なお、挿入面２と立脚面３との境界部分には、罫線４が形成されている。さらに、段ボールシート１は、挿入面２上に、挿入部５と、第１突出片６と、第２突出片７と、第１切込線８と、第２切込線９とを備える。以下、これらの構成５〜９について詳細に説明する。なお、図１における上方向、下方向、左方向、右方向をそれぞれ段ボールシート１の「後方向」、「前方向」、「左方向」、「右方向」として以下説明する。
【００１２】
挿入部５は、使用時において被仕切体Ａが挿入される部分である。本実施形態において、被仕切体Ａは底面が円形状の瓶としている。図１に示すように、挿入部５の形状は被仕切体Ａの底面形状にあわせて略円形であって、その直径も被挿入体Ａの底面の直径に合わせて形成されている。挿入部５は、挿入面２上に、前後方向３列、左右方向４列に規則的に配置されている。図１から明らかなように、挿入部５は隙間があまりない状態で配置されている。なお、図１の段ボールシート１の挿入部５のうち実線で囲まれた部分は、切り欠かれた状態となっている。換言すれば、挿入部５は第１突出片６を落丁部分とする切り欠き部である。
【００１３】
第１突出片６は、使用時において折り曲げられて仕切板となる部分である。図２は、図１の挿入面２のうち左前部分を拡大した拡大斜視図である。図２に示すように、第１突出片６は、左右方向に隣り合う挿入部５の境界部分の近傍を基端として、左側（一方）の挿入部５の中心方向に突出している。ただし、図１に示すように、最も右側の列の挿入部５には、第１突出片６が形成されていない。最も右側の列よりもさらに右側に被仕切体Ａが挿入されることはなく、仕切板となる第１突出片６が不要だからである。また、第１突出片６は、その形状が略正方形であって、一片が挿入部の半径と略等しくなっている。そのため、第１突出片６は、左側の挿入部５の中央付近まで達している。
【００１４】
第２突出片７は、使用時において、折り曲げられて仕切板となる部分である。図２に示すように、第２突出片７は、左右方向に隣り合う挿入部５の境界部分近傍を基端として、右側（他方）の挿入部５の中心方向に突出している。ただし、図１に示すように、最も左側の列の挿入部５には、第２突出片７が形成されていない。最も左側の列よりもさらに左側に被仕切体Ａが挿入されることはなく、仕切板となる第２突出片７が不要だからである。また、第２突出片７は略角形であって、その前後方向の幅は、第１突出片６の前後方向の幅に等しくなっている。つまり、第１突出片６の左右方向に伸びる前後の側辺１０と、第２突出片６の左右方向に伸びる前後の側辺１１とは、一直線上にある。ただし、第２突出片７の左右方向の長さ（基端から先端までの長さ）は、第１突出片６の左右方向の長さ（基端から先端までの長さ）よりも短くなっている。そのため、第２突出片７は、右側の挿入部５の中央付近には達していない。
【００１５】
第１切込線８は、使用時において、切り離される部分である。第１切込線８には、切込加工が施されている。図２に示すように、挿入部５の境界部分には、２つの第１切込線８が形成されている。第１切込線８は、第１突出片６の外縁（側辺１０）と左側の挿入部５の外縁とが交わる２つの個所をそれぞれ基端とし、右の挿入部５側の方向であって、かつ、互いに離れる方向に傾斜して伸延している。具体的には、２つの第１切込線８のうち、前側の第１切込線８は右斜め前に伸延し、後側の第１切込線８は右斜め後に伸延している。
【００１６】
第２切込線９は、使用時において、切り離される部分である。第２切込線９には、切込加工が施されている。図２に示すように、挿入部５の境界部分には、２つの第２切込線９が形成されている。第２切込線９は、第２突出片７の外縁（側辺１１）と右側の挿入部５の外縁とが交わる２つの個所をそれぞれ基端とし、左の挿入部５側の方向であって、かつ、互いに近づく方向に傾斜して伸延している。具体的には、２つの第２切込線９のうち、前側の第２切込線９は左斜め後に伸延し、後側の第２切込線９は左斜め前に伸延している。また、２つの第１切込線８の先端と２つの第２切込線９の先端とが一直線上に並んでいる。さらに、後側の第１切込線８の先端と、後側の第２切込線９の先端との間には、罫線（折り曲げ線）１２が施されている（図中、罫線は点線によって表されている）。また、前側の第１切込線９の先端と、前側の第２切込線８の先端との間には、罫線（折り曲げ線）１３が施されている。ただし、第２切込線の先端の間には罫線が施されていない。つまり、上記の両罫線１２、１３は、２つの第２切込線９の先端の間を越えて、一直線上に形成されている。
【００１７】
以上が、本実施形態に係る段ボールシート１の構成である。以上のように、本実施形態に係る段ボールシート１は、左右の挿入部５が近い位置にあるにもかかわらず、切欠かれた部分が互いに距離を十分確保している。そのため、本実施形態に係る段ボールシート１は、板状の一枚のシートの状態で剛性が高いので、ねじれにくく、取り扱いやすくなっている。なお、図２は、図１の挿入面２上の左前部分を拡大した拡大斜視図であるが、この部分に限らず、左右に隣接する挿入部５の境界部分全てにおいて、同様の構成となっている。また、本実施形態にかかる段ボールシート１は、切欠き、罫線、及び、切込によって形成されているため、抜きラインのみで製造することができる。つまり、本実施形態に係る段ボールシート１によれば、製造コストを抑えることができる。
【００１８】
次に本実施形態に係る段ボールシートの使用方法について説明する。
【００１９】
まず、段ボールシート１は使用に際して被仕切体Ａを梱包する段ボール箱Ｂに挿入する。図３は、段ボール箱Ｂに入れられる状態の段ボールシート１を示した図である。図３に示すように、段ボールシート１は、挿入面２の四方に連結された立脚面３を挿入面２と略直角に折り曲げて段ボール箱Ｂに挿入する。なお、段ボールシート１が挿入される段ボール箱Ｂの内部の寸法は、段ボールシート１の挿入面２の寸法に略等しくなっている。そのため、段ボール箱Ｂに段ボールシート１が挿入されると、段ボール箱Ｂの底面に段ボールシート１の立脚面３が接した位置で段ボールシート１が固定される。つまり、段ボールシート１の挿入面２は、段ボール箱Ｂの底面から浮いた状態となっている。
【００２０】
次に、被仕切体Ａを段ボールシート１の挿入部５へ挿入する。図４は、段ボールシート１の挿入部５へ被仕切体Ａがわずかに挿入された状態の図である。なお、図４は、図２の部分に対応する拡大斜視図である。図３で示したように段ボールシート１が段ボール箱Ｂに挿入された後、図４に示すように段ボールシート１の挿入部５に鉛直上方から被仕切体（底面が円形の瓶）Ａを挿入する。このとき、段ボールシート１の第１突出片６は被仕切体Ａの底面によって下方に押される。段ボールシート１の挿入面２は、段ボール箱Ｂの底面から浮いた状態になっているため、第１突出片６は被仕切体Ａが挿入された深さだけ、下方に押し込まれる。第１突出片６が下方に押し込まれると、第１突出片６に近い部分と第１切込線８よりも外側の部分とが、第１切込線８を境界として切り離される。そして、第１突出片６が下方に押し込まれることによって、２つの第１切込線６の先端をつなぐ部分には、この部分を折り曲げようとする力がかかる。この２つの第１切込線８の先端をつなぐ部分のうち、第１切込線８先端と第２切込線９先端の間には罫線１２、１３が形成されているため、容易に折れ曲がり、第１突出片６はこの部分を軸として回転する。一方、罫線が施されていない、第２切込線７の両先端の間は折り曲げられず、逆に第１突出片６は、この部分を介して第２突出片７に対して第２突出片７が起き上がるような力をかける。これにより、第１突出片６と第２突出片７とは一体となって、２つの第１切込線８の先端をつなぐ部分を軸として回転する。さらに、第２突出片７が回転することにより、第２突出片７に近い部分と第２切込線９よりも外側の部分とが、第２切込線９を境界として切り離される。
【００２１】
次に、被仕切体Ａをさらに挿入部５へ深く挿入する。図５は、図４の状態からさらに挿入部５へ被仕切体Ａが深く挿入された状態の図である。図５に示すように、被仕切体Ａが挿入部５へさらに深く挿入されると、第１突出片６がさらに押し込まれ、それに伴って第１突出片６と第２突出片７とが一体となって、さらに回転する。そして、被仕切体Ａの底面が段ボール箱Ｂの底面に達すると、被仕切体Ａの挿入は完了する。被仕切体Ａの挿入が完了した状態では、第１突出片６が段ボールシート１の挿入面２と略直角になるまで折り曲げられる。これにより、段ボールシート１の挿入面２よりも下の部分では第１突出片６が隣接する被仕切体Ａの接触を防止し、段ボールシート１の挿入面２よりも上の部分では第２突出片７が隣接する被仕切体Ａの接触を防止することができる。つまり、第１突出片６及び第２突出片７は、仕切り板の役割を果たす。
【００２２】
このように本実施形態にかかる段ボールシート１によれば、第１突出片６と第２突出片７とが左右に隣接する挿入部５に挿入された被仕切体Ａを仕切る仕切板となる。そして、この仕切板の厚さは段ボールシート１の厚さである。つまり、隣接する挿入部５の間隔を段ボールシート１の厚さ程度にまで小さくすることができる。よって、効率よく被仕切体Ａを仕切ることができるのである。さらに、第１切込線８の先端は互いに離れる方向に傾斜して伸延しており、逆に第２切込線９の先端は互いに近づく方向に傾斜している。つまり、第１切込線８の先端と第２切込線９の先端との距離をできるだけ大きくしている。これにより、第１切込部の先端と第２切込部の先端との間が破れるのを防ぐことができる。
【００２３】
なお、本実施形態の場合、被仕切体Ａを一斉に挿入部５に挿入するのではなく、挿入する順序が決められている。図６は、被仕切体Ａの挿入順序を示した図である。図６に示すように、本実施形態にかかる段ボールシート１の場合、左側の列の挿入部５から順に被仕切体Ａを挿入する。このような順序で被仕切体Ａが挿入されるのは、左右の挿入部５に同時に被仕切体Ａを挿入すると、左側の被仕切体Ａによって回転するはずであった第２突出片７が、右側の被仕切体Ａによって回転が阻止されるからである。さらに、第２突出片７の左右方向の長さは、第１突出片７の左右方向の長さよりも短くなっている。かかる構成により、挿入部５の直径に比して被仕切体Ａの径が大きい等の理由で第２突出片７が挿入面２に対して直角にならない場合であっても、被仕切体Ａが第２突出片７に引っかかりにくくすることができる。
【００２４】
以上、本実施形態にかかる段ボールシート１について説明した。以上では、第１切込線８及び第２切込線９が斜め方向に伸延する場合について説明したが、例えば、第１突出片６の前後方向の幅が第２突出片７の前後方向の幅よりも大きい場合には、図７に示すように、各突出片６、７の側辺１０、１１からまっすぐに伸延するようにしてもよい。
【産業上の利用可能性】
【００２５】
以上のように、本発明に係る段ボールシートは、所定個所が折曲げられて仕切体となる段ボールシートであって、効率のよい収納ができる。よって、段ボール製仕切体の技術分野において有益である。
【図面の簡単な説明】
【００２６】
【図１】本実施形態に係る段ボールシートの平面図である。
【図２】図１の挿入面上の左下部分を拡大した拡大斜視図である。
【図３】段ボール箱に入れられる状態の段ボールシートを示した図である。
【図４】段ボールシートの挿入部へ被仕切体がわずかに挿入された状態の図である。
【図５】図４の状態からさらに挿入部へ被仕切体が深く挿入された状態の図である。
【図６】被仕切体の挿入順序を示した図である。
【図７】本願発明に係る他の実施形態を示した図である。
【符号の説明】
【００２７】
１  段ボールシート
５  挿入部
６  第１突出片
７  第２突出片
８  第１切込線
９  第２切込線
Ａ  被仕切体
Ｂ  段ボール箱
【図１】
2008189335.tif 000003
【図２】
2008189335.tif 000004
【図３】
2008189335.tif 000005
【図４】
2008189335.tif 000006
【図５】
2008189335.tif 000007
【図６】
2008189335.tif 000008
【図７】
2008189335.tif 000009